(57)【特許請求の範囲】
【請求項１】
給水源と連通する取付案内筒の上部に弁受台を設け、前記取付案内筒と連通し前記弁受台の内部に形成する弁室内の下部の下絞部に乗載されて、前記下絞部との間で吐水孔を形成する弁体を前記弁室に上下動可能に嵌挿し、
前記取付案内筒に、給水源と連通する流路を内部に有した水抜栓を抜脱自在に取付け、
前記弁体の下部には、前記水抜栓と当接して前記流路を閉塞する閉塞材を取付け、
前記水抜栓を取付案内筒より取外すことにより、前記吐水孔から前記弁室内の残留水を外部に排出するようにしたことを特徴とする給水制御装置の水抜機構。
【請求項２】
前記弁体は円形状の底板周縁から上方に向けて屈曲した支持腕を複数本備え、この弁体を弁室に前記支持腕を上方に向けて上下動可能に収納し、前記弁体の各支持腕間に弁体と弁室とを連通させる吐水孔を形成するようにしたことを特徴とする請求項１記載の給水制御装置の水抜機構。
【請求項３】
前記弁体は有底筒状の摺動ガイドを弁室に上下動可能に収納し、前記摺動ガイドの外周面には前記流路と弁室とを連通させる吐水溝を形成するようにしたことを特徴とする請求項１記載の給水制御装置の水抜機構。
【請求項４】
前記水抜栓は内部を中空状に穿設して給水源と連通する流路を設け、常時は流路先端と閉塞材との間に洗浄水の通路を形成させ、給水源の停止時は前記通路を閉塞し、更に、取付案内筒の開口時は弁体の吐水孔を開放するように形成したことを特徴とする請求項１記載の給水制御装置の水抜機構。
【発明の詳細な説明】
【０００１】
【産業上の利用分野】
本発明は衛生洗浄装置等に供給される洗浄水の給水を制御する給水制御装置の水抜機構に関する。
【０００２】
【従来の技術】
近年、用便後の局部を洗浄水（温水）により洗浄して後処理を衛生的に行うようにした衛生洗浄装置が利用されるようになってきた。図５は今日一般的に使用されている衛生洗浄便座を示す斜視図で、１は洋式便器２の上部後背部に便蓋３と共に開閉自在に取付けた便座を示し、この便座１にはその後背部において洋式便器２上に載置される衛生洗浄装置４が付設されている。そして、前記衛生洗浄装置４の内部には図６に示すように、図示しない水道管と接続された給水管５と、前記便座１の下側から局部に向けて温水を最適に噴出することができる位置に進退可能に取付けたノズル６と、前記給水管５とノズル６との間において、給水管５から供給される水道水（以下、洗浄水という）のノズル６への給・断水を制御する給水制御装置７、および前記洗浄水を局部洗浄に適した所定温度に加熱する加熱装置８を備え、この加熱装置８により洗浄可能温度に加熱した洗浄水をノズル６より局部に向けて噴出させることにより、局部の洗浄を行うよう構成されている。
【０００３】
そして、前記衛生洗浄装置４内に設置される洗浄水の給水制御装置７は、一般的に、例えば、図７に示すように構成されている。即ち、図７において、９は給水管５と接続されて、図示しない水道管から供給される洗浄水を弁室１０内に流入させる弁嵌合筒であり、この弁嵌合筒９には長さ方向のほぼ中央部にテーパー状の弁口１０ａが形成されている。１１は弁嵌合筒９の弁口１０ａを開閉する弁体を示し、この弁体１１の中心部には弁棒１２が弁室１０内に向けて一体的に突設されている。そして、前記弁棒１２はその先端を弁嵌合筒９と弁室１０を有する弁台１３との間にＯリング１４を介して挟持した前記弁室１０と連通する連通孔１５を形成した弁支持体１６の軸受部１７に挿通し、かつ、弁棒１２先端に設けた係止体１８を軸受部１７の弁室１０側で係止させることにより、弁体１１を弁嵌合筒９内でその軸方向に沿って摺動移動可能に支持する。１９は弁棒１２に挿通されて弁体１１と弁支持体１６との間に介挿したコイルバネで、弁体１１を常時弁口１０ａ側に押圧付勢する。
【０００４】
給水管５を通って洗浄水が弁嵌合筒９内に流入すると、洗浄水の水圧により弁体１１は、コイルバネ１９の付勢力に抗して弁室１０側に押動されて、弁口１０ａを開口し、洗浄水を給水管５→弁嵌合筒９を経て弁室１０内に流入させ、給水を停止した場合は、弁体１１がコイルバネ１９の付勢力により弁口１０ａを閉塞する方向に押動する。この結果、前記弁嵌合筒９及び弁室１０内は流入した洗浄水によって充満されることとなる。なお、洗浄水の給水源を閉塞したときは、弁体１１により弁口１０ａは閉塞される。
【０００５】
次に図７において、２０は弁室１０に連設した減圧弁で、図示しない固定手段にて前記弁室１０と後述する電磁弁の流入口と連通する流路を備えた弁筐２１との間に装着した弁座２２と、この弁座２２内に揺動可能に取付けられて、前記弁座２２の開口断面積を可変する弁軸２３とにより構成されており、前記弁軸２３を、ダイヤフラム弁２４にて区画した弁室２５側のスプリング２６の付勢力により揺動させて、前記弁座２２と弁２３ａとの間隔を、洗浄水の水圧が外的要因により可変しても、給水制御装置７内を流通する洗浄水を常に所定の圧力で通流させるように構成されている。
【０００６】
更に、図７に示す２７は、流入口２８と流出口２９とを開閉するダイヤフラム弁３０、および励磁コイル３１を励磁・消磁することにより案内筒３２内をその軸方向に摺動する可動鉄心３３を備えた電磁弁で、弁筐２１を介して減圧弁２０と連接されており、前記励磁コイル３１が通電により励磁されると、可動鉄心３３は圧縮バネ３４に抗して励磁コイル３１の吸引作用によって図７の上方へ移動する。すると、ダイヤフラム弁３０は流入口２８より供給される洗浄水の水圧により可動鉄心３３側に押動されて弁口３５を開口し、流入口２８と流出口２９とを連通させる。また、励磁コイル３１への通電が断たれると、可動鉄心３３はその吸引作用が解かれ、圧縮バネ３４の付勢力によりダイヤフラム弁３０側へ押動されてダイヤフラム弁３０を図７の下方に押し戻して弁口３５を閉鎖し、流入口２８と流出口２９の間を閉じて、加熱装置８を介してノズル６に供給する洗浄水の給・断水を制御する。
【０００７】
【発明が解決しようとする課題】
しかし、前記給水制御装置７には次に示すような問題点があった。即ち、前記給水制御装置７は、給水管５を介して弁嵌合筒９に供給される洗浄水を、水圧により弁体１１を押動して弁口１０ａを開口して弁室１０内に流入させるよう構成されているので、洗浄水が給水源にて供給が停止されると、弁体１１はコイルバネ１９の付勢力により押動されて弁口１０ａを完全に閉じて洗浄水の流路を閉塞する。これにより、弁体１１の弁口１０ａを開口して弁室１０内に流入していた洗浄水は、前記給水源の給水停止に伴い弁室１０内に残留して放置されることとなる。
【０００８】
前記従来の給水制御装置７を使用した衛生洗浄装置４を、例えば、寒冷地で使用する場合、衛生洗浄装置４を一定期間使用しないとき、前記給水制御装置７の弁室１０内に残留している洗浄水の水抜きを行わないと、残留水は冬季時においてしばしば凍結することがある。洗浄水が弁室１０内で凍結により氷結して体積膨張すると、締着ねじ３６にて締着固定されている弁嵌合筒９と弁台１３との結合部３７は、前記凍結時洗浄水が氷結により体積膨張することによって生ずる力により開離し、前記結合部３７に隙間が生じて水密構造を維持することが困難となる問題があった。
【０００９】
そして、前記のように一度結合部３７に隙間が生じてしまうと、結合部３７を元に復帰（封止）させることができず、日中の気温上昇に伴い凍結した洗浄水が解凍されるに従って前記結合部３７から漏出することがあった。また、前記の状態で、衛生洗浄装置４の使用に際して給水管５から弁嵌合筒９に洗浄水を供給すると、前記結合部３７に生じた隙間より洗浄水が漏出し、例えば、図６に示す衛生洗浄装置４内・外を水浸しにしてしまうという問題があった。
【００１０】
本発明は、前記の問題点に鑑み、衛生洗浄装置を一定期間使用しない場合、給水制御装置の弁室内に残留する洗浄水が凍結することにより、前記給水制御装置の水密構造が損傷するのを阻止するようにした給水制御装置の水抜機構を提供することにある。
【００１１】
【課題を解決するための手段】
請求項１に示す給水制御装置の水抜機構は、給水源と連通する取付案内筒の上部に弁受台を設け、前記取付案内筒と連通し前記弁受台の内部に形成する弁室内の下部の下絞部に乗載されて、前記下絞部との間で吐水孔を形成する弁体を前記弁室に上下動可能に嵌挿し、前記取付案内筒に、給水源と連通する流路を内部に有した水抜栓を抜脱自在に取付け、前記弁体の下部には、前記水抜栓と当接して前記流路を閉塞する閉塞材を取付け、前記水抜栓を取付案内筒より取外すことにより、前記吐水孔から前記弁室内の残留水を外部に排出するようにしたことを特徴とする。
【００１２】
請求項２に示す給水制御装置の水抜機構における弁体は、円形状の底板周縁から上方に向けて屈曲した支持腕を複数本備え、この弁体を弁室に前記支持腕を上方に向けて上下動可能に収納し、前記弁体の各支持腕間に弁体と弁室とを連通させる吐水孔を形成するようにしたことを特徴とする。
【００１３】
請求項３に示す給水制御装置の水抜機構における弁体は、有底筒状の摺動ガイドを弁室に上下動可能に収納し、前記摺動ガイドの外周面には前記流路と弁室とを連通させる吐水溝を形成するようにしたことを特徴とする。
【００１４】
請求項４に示す給水制御装置の水抜機構における水抜栓は、内部を中空状に穿設して給水源と連通する流路を設け、常時は流路先端と閉塞材との間に洗浄水の通路を形成させ、給水源の停止時は前記通路を閉塞し、更に、取付案内筒の開口時は弁体の吐水孔を開放するように形成したことを特徴とする。
【００１５】
【作用】
本発明の給水制御装置の水抜機構は、給水源と連通する取付案内筒の上部に弁受台を設け、前記取付案内筒と連通し前記弁受台の内部に形成する弁室内の下部の下絞部に乗載されて、前記下絞部との間で吐水孔を形成する弁体を前記弁室に上下動可能に嵌挿し、前記取付案内筒に、給水源と連通する流路を内部に有した水抜栓を抜脱自在に取付け、前記弁体の下部には、前記水抜栓と当接して前記流路を閉塞する閉塞材を取付け、前記水抜栓を取付案内筒より取外すことにより、前記吐水孔から前記弁室内の残留水を外部に排出するように構成したので、冬季に弁室内に残留する洗浄水の凍結によって前記弁室の水密構造を破損するといった問題を良好に解決することができる。
【００１６】
【実施例】
以下、本発明の実施例を図１ないし図４により説明する。なお、図１ないし図４において、図６，７に示す部品と同一部品は同一符号にて示す。図１において、３８は図６に示す衛生洗浄装置４内に設置される給水制御装置であり、３９は給水管５に接続され図示しない水道管から供給される洗浄水を給水制御装置３８内に流入させる流入管である。また、４０は前記流入管３９を側方に嵌着し、下部にねじ部４１を備えた水抜栓４２を抜脱自在に螺着する水抜栓取付口４３を開口した取付案内筒であり、その上部には前記水抜栓４２の上方に通水路を拡開して形成した弁室４４を有する弁受台４５を支持するための下絞部４６が形成されている。
【００１７】
前記弁室４４には、図２に示すように、円形をなす底板４７の周縁にそれぞれ等間隔の位置で上方に向けてＬ型に屈曲して形成した支持腕４８を有する弁体４９が、前記支持腕４８の基端５０を弁室４４の下絞部４６上に上下動可能に乗載して収納されており、常時は、底板４７と弁室４４の上絞部５１との間に介挿したコイルバネ５２により下絞部４６側に押圧付勢されている。この結果、弁室４４の下絞部４６と弁体４９との間には、各支持腕４８間において図１，４で示すように吐水孔５３が形成される。また、前記弁体４９の下端には図４で示すように、下向きに突設した突部５４が段差を付けて形成されており、その段差部に上半部を中空状に形成した前記水抜栓４２内の流路５５を閉塞する弾性部材からなる閉塞材５６が抜脱不能に係着されている。
【００１８】
そして、図示しない水道管から流入管３９と連通して取付案内筒４０および水抜栓４２に形成した通水孔５７，５７ａを介して洗浄水が水抜栓４２の流路５５内に流入すると、弁室４４内に上下動可能に収納された弁体４９は、図１に示すように、流路５５内に充満した洗浄水の水圧により上方へ押上げられ、閉塞材５６によって閉塞されていた水抜栓４２の流路５５を開放して吐水孔５３から弁室４４に洗浄水を流入させる。
【００１９】
弁室４４に流入した洗浄水は、図７に示す給水制御装置７のところで説明した場合と同様に、弁受台４５に図示しない固定手段にて装置した減圧弁２０により所定の水圧に減圧された後、電磁弁２７および図６に示す加熱装置８を経てノズル６ヘ供給される洗浄水の給・断水を制御するものである。
【００２０】
また、図示しない水道管から流入管３９を経て水抜栓４２の流路５５内に供給される洗浄水がその供給源において給水を停止すると、弁体４９はコイルバネ５２の付勢力によって下方へ押戻されて、弁体４９の支持腕４８の基端５０を弁室４４の下絞部４６上に乗載すると共に、弁体４９の下端に装着した閉塞材５６によって水抜栓４２の流路５５を閉塞する。
【００２１】
この結果、図１，４に示すように弁室４４内に残留している洗浄水は、弁体４９と弁室４４の下絞部４６との間に形成された吐水孔５３から水抜栓４２の外周壁と取付案内筒４０の内周壁との間をつたって漏出しようとするが、前記水抜栓４２の外周壁に水密に設けられたＯリング５８により阻止して洗浄水が外部に漏出するということは全くない。また、前記水抜栓４２には、ねじ部４１の下側にもＯリング５９が水密に設けてあるので、流入管３９から流入する洗浄水が前記ねじ部４１をつたって外部に漏出することを確実に防止する。したがって、洗浄水の漏水により、図６に示す衛生洗浄装置４内・外が水浸しになることは全くない。
【００２２】
そして、前記弁室４４内に残留している洗浄水を必要に応じて水抜きを行う場合、即ち、衛生洗浄装置４を一定期間使用しないときには、図１に示す衛生洗浄装置４の下側ケーシング４ａから下方に突出している水抜栓４２を、取付案内筒４０の水抜栓取付口４３より図４に示すように、螺合を解いて取外すことにより、弁体４９と弁室４４の下絞部４６の間に形成される吐水孔５３から、弁室４４内に残留している洗浄水を取付案内筒４０の外に排出することができる。
【００２３】
前記のように、給水制御装置３８に、弁室４４内に残留している洗浄水を排出する水抜機構を具備させることによって、冬季等に弁室４４内に残留している洗浄水が凍結することによって体積膨張し、その体積膨張時に生じる力によって弁室４４の水密構造を破損したり、前記破損に伴い漏水事故が生じるという問題を解消し、衛生洗浄装置４を長期にわたり安定した状態で使用することを可能とした。
【００２４】
また、本発明の弁体は図２に示す構造に限定することなく、図３に示すように、有底円筒状に形成した摺動ガイド６０の外周面に吐水溝６１を縦方向に複数条切欠いて形成した弁体６２を弁室４４の下絞部４６上に上下動可能に収納して使用するようにしても、本発明は成立するものである。
【００２５】
【発明の効果】
本発明の給水制御装置の水抜機構は、弁室の下部との間で吐水孔を形成して取付けた弁体に、給水源と連通する取付案内筒に抜脱自在に装着した水抜栓の流路を閉塞する閉塞材を設け、前記水抜栓を除去したとき弁体と弁室との間に形成した吐水孔から弁室内の残留水を容易に排水できるように構成したので、冬季等に弁室内に残存する洗浄水の凍結によって弁室が破損するといった問題を確実に解決することができる。
【００２６】
また、給水制御装置の水抜機構に使用する弁体は、円形状をなす底板の周縁から上方に向けて屈曲した支持腕を複数本備えて形成し、この支持腕を介して弁体を弁室に上下動可能に取付けるようにしたので、前記弁体は各支持腕間において弁室の下部との間で、弁室と給水源と連通する取付案内筒とを連通させるための吐水孔が容易に形成でき利便である。
【００２７】
また、給水制御装置の水抜機構に使用する弁体を、有底筒状の摺動ガイドの外周を複数条切欠いて吐水溝を形成して構成することにより、前記弁体は製作が容易となり、給水制御装置を簡易に、かつ、経済的に製造することが可能となる。
【００２８】
さらに、給水制御装置の水抜機構に使用する水抜栓は、水抜栓自体を中空状に形成して流路を設けるようにしたので、弁体を開閉しての洗浄水の流通制御と弁室の開閉が簡易に行い得、しかも、衛生洗浄装置の不使用時における弁室の水抜きが確実に行うことができるため、残留水の凍結による弊害を良好に解消することができる。
【図面の簡単な説明】
【図１】本発明の給水制御装置の縦断面図である。
【図２】本発明の給水制御装置に使用される弁体の斜視図である。
【図３】本発明の給水制御装置に使用される弁体の他の実施例を示す斜視図である。
【図４】本発明の給水制御装置から水抜栓を取外した状態を示す縦断面図である。
【図５】本発明の給水制御装置を内部に設置する衛生洗浄装置を具備した洋式便器を示す斜視図である。
【図６】本発明の給水制御装置の使用状態を示す平面図である。
【図７】従来の給水制御装置の縦断面図である。
【符号の説明】
４  衛生洗浄装置
７，３８  給水制御装置
４０  取付案内筒
４２  水抜栓
４３  水抜栓取付口
４６  下絞部
４７  底板
４８  支持腕
４９，６２  弁体
５１  上絞部
５２  コイルバネ
５３  吐水孔
５５  流路
５６  閉塞材
６０  摺動ガイド
６１  吐水溝
【図１】
0003594451.tif 000002
【図２】
0003594451.tif 000003
【図３】
0003594451.tif 000004
【図４】
0003594451.tif 000005
【図５】
0003594451.tif 000006
【図６】
0003594451.tif 000007
【図７】
0003594451.tif 000008